(57)【要約】【課題】ネットワークの負荷を低減し、高信頼性な監視装置およびネットワーク管理システムを提供する。【解決手段】ネットワークに接続されたＳＮＭＰエージェント機能を有する複数の子機器３０とネットワークに接続され、複数の子機器３０を管理するＳＮＭＰマネージャ機能を有する管理装置１０との間に介在する親機器２０であって、複数の子機器３０に対してＳＮＭＰマネージャ機能および管理装置１０に対してＳＮＭＰエージェント機能を有し、複数の子機器３０の情報を取得する取得部１４２と、情報に基づき各子機器３０の所定の状態の変化を検知する監視部１４６と、子機器３０の所定の状態の変化を検知したとき、管理装置１０に通知する通知部１４８と、を備える。【選択図】図２
2008148106.tif 000002
【特許請求の範囲】
【請求項１】
ネットワークに接続されたＳＮＭＰエージェント機能を有する複数の機器と前記ネットワークに接続され、前記複数の機器を管理するＳＮＭＰマネージャ機能を有する管理装置との間に介在する監視装置であって、
前記複数の機器に対してＳＮＭＰマネージャ機能および前記管理装置に対してＳＮＭＰエージェント機能を有し、
前記複数の機器の情報を取得する取得部と、
前記情報に基づき各機器の所定の状態の変化を検知する検知部と、
機器の前記所定の状態の変化を検知したとき、管理装置に通知する通知部と、を備える監視装置。
【請求項２】
請求項１に記載の監視装置において、
前記取得部は、前記複数の機器の前記情報を定期的に取得する監視装置。
【請求項３】
請求項１または２に記載の監視装置において、
前記管理装置から前記複数の機器のすべての情報の取得要求を受け付ける受付部を含み、
前記取得部は、前記取得要求に応じて前記複数の機器のすべての情報を取得し、
前記通知部は、前記取得部により取得された前記複数の機器の前記すべての情報を前記管理装置に通知する監視装置。
【請求項４】
請求項１乃至３いずれかに記載の監視装置において、
機器毎に監視すべき状態の選択を受け付ける選択受付部と、
前記選択に従って、前記機器毎に前記監視すべき状態に対応して取得すべき機器の情報を設定する設定部と、
該設定を記憶する設定記憶部と、を含み、
前記取得部は、前記設定記憶部の前記設定に従って前記複数の機器の情報を取得し、
前記検知部は、前記取得部が取得した前記情報に基づいて前記監視すべき状態を検知する監視装置。
【請求項５】
請求項１乃至４いずれかに記載の監視装置において、
前記通知部は、ＳＮＭＰのトラップ、メール、またはファックスで前記複数の機器の前記所定の状態の変化を前記管理装置に通知する監視装置。
【請求項６】
ネットワークに接続されたＳＮＭＰエージェント機能を有する複数の機器と、
前記ネットワークに接続されたＳＮＭＰマネージャ機能を有する管理装置と、
前記ネットワークに接続され、前記複数の機器と前記管理装置の間に介在する監視装置と、を備え、
前記監視装置は、
前記複数の機器のＳＮＭＰマネージャとして機能するとともに、前記管理装置のＳＮＭＰエージェントとして機能し、
前記複数の機器の情報を取得する取得部と、
前記情報に基づき各機器の所定の状態の変化を検知する検知部と、
機器の前記所定の状態の変化を検知したとき、前記管理装置に通知する通知部と、を含むネットワーク管理システム。
【請求項７】
ネットワークに接続された複数の機器と、前記複数の機器を管理する管理装置と、を備えるネットワーク管理システムであって、
前記複数の機器の中から特定の機器に、所定の複数の機器の親機器としてＳＮＭＰマネージャ機能を持たせるとともに、前記管理装置に対してＳＮＭＰエージェント機能を持たせ、
前記特定の機器に対応する前記所定の複数の機器に、前記特定の機器の子機器として、ＳＮＭＰエージェント機能を持たせ、
前記管理装置に、ＳＮＭＰマネージャ機能を持たせ、
前記特定の機器は、
前記所定の複数の機器の情報を取得する取得部と、
前記情報に基づき各機器の所定の状態の変化を検知する検知部と、
機器の前記所定の状態の変化を検知したとき、前記管理装置に通知する通知部と、を含むネットワーク管理システム。
【発明の詳細な説明】
【技術分野】
【０００１】
本発明は、監視装置およびネットワーク管理システムに関し、特に、ＳＮＭＰプロトコルを用いてネットワーク上の複数の機器を監視する監視装置およびネットワーク管理システムに関する。
【背景技術】
【０００２】
ＴＣＰ／ＩＰネットワークにおいて、ネットワークに接続された通信機器をネットワーク経由で監視および制御するためのプロトコルとしてＳＮＭＰ（Simple Network Management Protocol）が知られている。ＳＮＭＰは、制御の対象となるＳＮＭＰエージェントと、ＳＮＭＰエージェントを管理するＳＮＭＰマネージャとにより構成される。ＳＮＭＰエージェントはＭＩＢ（Management Information Base）と呼ばれる管理情報データベースを持っている。従来のＳＮＭＰを用いたネットワーク管理装置としては、たとえば特許文献１に記載されたものがある。
【特許文献１】特開２００２−１４０２４２号公報
【発明の開示】
【発明が解決しようとする課題】
【０００３】
ところで、近年ネットワークの大規模化が進んでおり、ネットワーク上には多数の機器が接続されるようになってきている。管理対象の機器の数が膨大になると、機器の数に比例してネットワーク上でやりとりされるパケット数も増大し、ネットワークに負荷も増大してしまう。また、管理対象の機器の増加に比例してＳＮＭＰマネージャのソフト上に管理対象の機器情報が増え、管理が容易でなくなる。
【０００４】
本発明は上記事情に鑑みてなされたものであり、その目的とするところは、ネットワークの負荷を低減し、高信頼性な監視装置およびネットワーク管理システムを提供することにある。
【課題を解決するための手段】
【０００５】
本発明によれば、ネットワークに接続されたＳＮＭＰエージェント機能を有する複数の機器と前記ネットワークに接続され、前記複数の機器を管理するＳＮＭＰマネージャ機能を有する管理装置との間に介在する監視装置であって、
前記複数の機器に対してＳＮＭＰマネージャ機能および前記管理装置に対してＳＮＭＰエージェント機能を有し、
前記複数の機器の情報を取得する取得部と、
前記情報に基づき各機器の所定の状態の変化を検知する検知部と、
機器の前記所定の状態の変化を検知したとき、管理装置に通知する通知部と、を備える監視装置が提供される。
【０００６】
この発明によれば、複数の機器から情報を取得し、機器の所定の状態の変化を検知した場合にのみ管理装置に通知する監視装置を複数の機器と管理装置の間に設けたので、複数の機器と管理装置間の通信量を削減でき、ネットワークの負荷を低減することができ、ネットワーク管理の信頼性が向上する。
【０００７】
上記監視装置において、前記取得部は、前記複数の機器の前記情報を定期的に取得することができる。
【０００８】
上記監視装置において、前記管理装置から前記複数の機器のすべての情報の取得要求を受け付ける受付部を含むことができ、前記取得部は、前記取得要求に応じて前記複数の機器のすべての情報を取得し、前記通知部は、前記取得部により取得された前記複数の機器の前記すべての情報を前記管理装置に通知することができる。また、ネットワーク上の複数の機器の中から、すべての情報を取得する機器を指定することもできる。
【０００９】
上記監視装置において、機器毎に監視すべき状態の選択を受け付ける選択受付部と、前記選択に従って、前記機器毎に前記監視すべき状態に対応して取得すべき機器の情報を設定する設定部と、該設定を記憶する設定記憶部と、を含むことができ、前記取得部は、前記設定記憶部の前記設定に従って前記複数の機器の情報を取得し、前記検知部は、前記取得部が取得した前記情報に基づいて前記監視すべき状態を検知することができる。
【００１０】
この構成によれば、必要な機器情報の設定を行うことができ、必要な情報のみを複数の機器から取得し、機器の所定の状態の変化を検知することができるので、複数の機器と管理装置間の不必要な機器情報についてのパケット交換を行わないで済むので、ネットワークの負荷を低減することができる。また、管理情報に不必要なものが含まれないので、情報が明確になり、ネットワーク管理の信頼性が向上する。
また、上記監視装置において、前記通知部は、ＳＮＭＰのトラップ、メール、またはファックスで前記複数の機器の前記所定の状態の変化を前記管理装置に通知することができる。
【００１１】
本発明によれば、ネットワークに接続されたＳＮＭＰエージェント機能を有する複数の機器と、
前記ネットワークに接続されたＳＮＭＰマネージャ機能を有する管理装置と、
前記ネットワークに接続され、前記複数の機器と前記管理装置の間に介在する監視装置と、を備え、
前記監視装置は、
前記複数の機器のＳＮＭＰマネージャとして機能するとともに、前記管理装置のＳＮＭＰエージェントとして機能し、
前記複数の機器の情報を取得する取得部と、
前記情報に基づき各機器の所定の状態の変化を検知する検知部と、
機器の前記所定の状態の変化を検知したとき、前記管理装置に通知する通知部と、を含むネットワーク管理システムが提供される。
【００１２】
本発明によれば、ネットワークに接続された複数の機器と、前記複数の機器を管理する管理装置と、を備えるネットワーク管理システムであって、
前記複数の機器の中から特定の機器に、所定の複数の機器の親機器としてＳＮＭＰマネージャ機能を持たせるとともに、前記管理装置に対してＳＮＭＰエージェント機能を持たせ、
前記特定の機器に対応する前記所定の複数の機器に、前記特定の機器の子機器として、ＳＮＭＰエージェント機能を持たせ、
前記管理装置に、ＳＮＭＰマネージャ機能を持たせ、
前記特定の機器は、
前記所定の複数の機器の情報を取得する取得部と、
前記情報に基づき各機器の所定の状態の変化を検知する検知部と、
機器の前記所定の状態の変化を検知したとき、前記管理装置に通知する通知部と、を含むネットワーク管理システムが提供される。
【００１３】
なお、以上の構成要素の任意の組合せ、本発明の表現を方法、装置、システム、記録媒体、コンピュータプログラムなどの間で変換したものもまた、本発明の態様として有効である。
【発明の効果】
【００１４】
本発明によれば、ネットワークの負荷を低減し、高信頼性な監視装置およびネットワーク管理システムが提供される。
【発明を実施するための最良の形態】
【００１５】
以下、本発明の実施の形態について、図面を用いて説明する。尚、すべての図面において、同様な構成要素には同様の符号を付し、適宜説明を省略する。
【００１６】
図１は、本発明の実施の形態に係るネットワーク管理システムのネットワーク構成の一例を示す構成図である。ネットワーク管理システムでは、ネットワーク１上に複数の機器（親機器２０ａ、２０ｂ、以下、簡略のため親機器２０と呼ぶ、ならびに子機器３０ａ、３０ｂ、３０ｃ、・・・、以下、簡略のため子機器３０と呼ぶ）が接続されており、管理装置１０がこれらの機器の管理を行う。
【００１７】
図１では各機器の機能上の構成の関係を示すために階層構造になっているが、ネットワーク１上の機器間の接続の構造を示すものではない。また、ネットワーク１は、ＬＡＮやＷＡＮ、インターネットなどを複数組み合わせたものであってもよい。図２は、図１のネットワーク管理システムの各装置の構成を示す概略ブロック図である。
【００１８】
本実施形態のネットワーク管理システムにおいて、管理装置１０は、ネットワーク管理者（以後、ユーザと呼ぶ）が使用し、たとえば、ＬＡＮ、ＷＡＮやインターネットなどのネットワーク１に接続されたパーソナルコンピュータなどであり、ネットワーク１の複数の機器の情報をモニタする表示部（不図示）と操作部（不図示）とを備える。また、親機器２０および子機器３０は、たとえば、ＬＡＮ、ＷＡＮやインターネットなどのネットワーク１に接続されたネットワークスキャナ、インターネットファクシミリ装置、ＭＦＰ、ルータ、ハブ、スイッチなどである。なお、各図において、本発明の本質に関わらない部分の構成については省略してある。
【００１９】
また、ネットワーク管理システムの各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２０】
本実施形態のネットワーク管理システムは、ネットワーク１に接続された複数の機器（親機器２０および子機器３０）と、複数の機器（親機器２０および子機器３０）を管理する管理装置１０と、を備えるネットワーク管理システムであって、複数の機器（親機器２０および子機器３０）の中から特定の機器（親機器２０ａ；２０ｂ）に、所定の複数の機器（子機器３０ａ、３０ｂ、・・・３０ｃ；子機器３０ｄ、・・・３０ｅ）の親機器としてＳＮＭＰマネージャ機能（ＳＮＭＰマネージャ２６）を持たせるとともに、管理装置１０に対してＳＮＭＰエージェント機能（ＳＮＭＰエージェント２２）を持たせ、特定の機器（親機器２０ａ；２０ｂ）に対応する所定の複数の機器（子機器３０ａ、３０ｂ、・・・３０ｃ；子機器３０ｄ、・・・３０ｅ）に、特定の機器（親機器２０ａ；２０ｂ）の子機器として、ＳＮＭＰエージェント機能（ＳＮＭＰエージェント３２）を持たせ、管理装置１０に、ＳＮＭＰマネージャ機能（ＳＮＭＰマネージャ１２）を持たせ、特定の機器（親機器２０ａ；２０ｂ）は、所定の複数の機器（子機器３０ａ、３０ｂ、・・・３０ｃ；子機器３０ｄ、・・・３０ｅ）の情報を取得する取得部（図２の取得部１４２）と、情報に基づき各機器（子機器３０ａ、３０ｂ、・・・３０ｃ；子機器３０ｄ、・・・３０ｅ）の所定の状態の変化を検知する検知部（図２の監視部１４６）と、機器（子機器３０ａ、３０ｂ、・・・３０ｃ；子機器３０ｄ、・・・３０ｅ）の所定の状態の変化を検知したとき、管理装置１０に通知する通知部（図２の通知部１４８）と、を含む。
【００２１】
図１に示すように、管理装置１０は、親機器２０に対するＳＮＭＰマネージャ機能を有するＳＮＭＰマネージャ１２を含む。親機器２０は、管理装置１０に対するエージェント機能を有するＳＮＭＰエージェント２２と、機器状態を含む機器情報を保持するＭＩＢ２４と、複数の子機器３０に対するマネージャ機能を有するＳＮＭＰマネージャ２６と、を含む。子機器３０は、親機器２０に対するエージェント機能を有するＳＮＭＰエージェント３２と、機器状態を含む機器情報を保持するＭＩＢ３４と、を含む。
【００２２】
親機器２０および子機器３０は、ＳＮＭＰエージェントソフトウェアまたはＳＮＭＰマネージャソフトウェアをインストールすることにより、各機能を有することとなる。また、各エージェントは、どの機器をマネージャとするか、たとえば、対象機器のＩＰアドレスを指定することで特定することができる。マネージャからエージェントに、監視対象機器の情報を要求し、エージェントは要求された情報を取得してマネージャに応答することができる。また、マネージャからエージェントに監視対象機器の設定変更を要求することができる。エージェントは要求された設定変更を実行し、結果をマネージャに応答することができる。さらに、エージェントから監視対象機器の状態変化をマネージャに通知することができる。
【００２３】
管理装置１０は、監視対象の親機器２０の機器状態を監視し、親機器２０は、監視対象の子機器３０の機器状態を監視する。本実施形態において、監視すべき機器状態を設定することができ、設定された機器状態についてのみ状態を監視し、状態変化があったときに通知する構成とする。
【００２４】
本発明の実施の形態に係るネットワーク管理システムは、ネットワーク１に接続されたＳＮＭＰエージェント機能を有する複数の機器（子機器３０）と、ネットワーク１に接続されたＳＮＭＰマネージャ機能を有する管理装置１０と、ネットワーク１に接続され、複数の機器（子機器３０）と管理装置１０の間に介在する監視装置（親機器２０）と、を備え、監視装置（親機器２０）は、複数の機器（子機器３０）のＳＮＭＰマネージャとして機能するとともに、管理装置１０のＳＮＭＰエージェントとして機能し、複数の機器（子機器３０）の情報を取得する取得部（図２の取得部１４２）と、情報に基づき各機器（子機器３０）の所定の状態の変化を検知する検知部（図２の監視部１４６）と、機器（子機器３０）の所定の状態の変化を検知したとき、管理装置１０に通知する通知部（図２の通知部１４８）と、を含む。
【００２５】
図２に示すように、管理装置１０は、設定画面表示部１０２と、設定受付部１０４と、設定部１０６と、受信部１１０と、機器情報記憶部１１２と、機器情報表示部１１４と、を備える。親機器２０は、設定受信部１３０と、設定部１３２と、設定記憶部１３４と、計時部１４０と、取得部１４２と、機器情報記憶部１４４と、監視部１４６と、通知部１４８と、受付部１６０と、送信部１６２と、ＭＩＢ２４と、を備える。子機器３０は、受付部１８０と、抽出部１８２と、送信部１８４と、ＭＩＢ３４と、を備える。
【００２６】
管理装置１０において、設定画面表示部１０２は、ネットワーク１上の複数の機器（親機器２０および子機器３０）の機器情報を設定する画面をたとえば、図示されないＣＲＴモニタ、液晶ディスプレイなどの表示部に表示する。
【００２７】
図４は、本実施形態の管理装置１０の設定画面表示部１０２に表示される、機器毎に監視項目を設定するための監視項目設定画面２００の一例を示す図である。監視項目設定画面２００は、設定欄２０２と、設定ボタン２１０と、キャンセルボタン２１２と、を含む。設定欄２０２で設定された内容は設定ボタン２１０が操作されたとき、確定し、管理装置１０から親機器２０および子機器３０に設定内容が通知され、監視すべき項目の機器情報が機器毎に設定される。キャンセルボタン２１２が操作された場合は、設定内容はキャンセルされる。設定欄２０２は、機器毎に機器名２０４と、複数の監視項目２０６とを含む。各監視項目２０６は、チェックボックス２０８が設けられており、監視が必要な項目をチェックすることで監視項目の設定を行うことができる。
【００２８】
図２に戻り、設定受付部１０４は、図示されないキーボード、マウス、タブレットなどの操作部の操作指示を受け付ける。設定受付部１０４は、図４の監視項目設定画面２００の設定操作を受け付け、設定部１０６に通知する。設定部１０６は、設定受付部１０４からの設定指示を受け付け、監視項目設定画面２００で設定された監視項目を親機器２０に通知する。
【００２９】
受信部１１０は、親機器２０から複数の親機器２０および子機器３０の機器情報をネットワーク１を介して受信する。受信部１１０は受信した機器情報を機器情報記憶部１１２に格納する。機器情報表示部１１４は、機器情報記憶部１１２に格納された機器情報を画面表示する。
【００３０】
図５は、本実施形態の管理装置１０の機器情報表示部１１４に表示される、ネットワーク１上の複数の子機器３０および親機器２０の機器情報通知画面２３０の一例を示す図である。機器情報通知画面２３０は、機器名２３２と、障害情報２３４と、障害発生日時２３６と、を含む。図５では、障害が発生している機器の情報のみを表示しているが、これに限定されない。すべての機器の情報を表示することもできる。また、これらの情報は、印字出力することもできる。障害発生時に随時印字出力することもできるし、履歴を定期的にレポート出力することもできる。また、予め決められた宛先にメール送信することもできる。
【００３１】
図２に戻り、要求部１２０は、ユーザからの指示を受け付け、指示に応じて機器情報の提供を、ネットワーク１を介して親機器２０および子機器３０に要求する。
【００３２】
本実施形態の監視装置（親機器２０）において、機器（子機器３０）毎に監視すべき状態の選択を受け付ける選択受付部（設定受信部１３０）と、選択に従って、機器（子機器３０）毎に監視すべき状態に対応して取得すべき機器（子機器３０）の情報を設定する設定部１３２と、該設定を記憶する設定記憶部１３４と、を含むことができ、取得部１４２は、設定記憶部１３４の設定に従って複数の機器（子機器３０）の情報を取得し、検知部（監視部１４６）は、取得部１４２が取得した情報に基づいて監視すべき状態を検知することができる。
【００３３】
親機器２０において、設定受信部１３０は、管理装置１０からネットワーク１を介して機器毎に設定された監視項目を受信し、設定部１３２に通知する。設定部１３２は、設定受信部１３０から通知された監視項目を設定記憶部１３４に記憶する。設定記憶部１３４に記憶された監視項目の設定に変更があった場合、設定部１３２は、取得部１４２に機器情報の取得を要求する。
【００３４】
計時部１４０は、定期的に複数の機器の機器情報を収集するための時間を計測し、取得部１４２に機器情報の収集タイミングを通知する。取得部１４２は、計時部１４０からの収集タイミングで、または管理装置１０から機器情報の収集の要求を受信したとき、ネットワーク１を介して子機器３０に対してポーリングして機器情報を要求する。
【００３５】
機器情報記憶部１４４は、取得部１４２が収集した機器情報を機器毎に格納する。機器情報記憶部１４４は、少なくとも、前回収集したデータと今回収集したデータを記憶する。監視部１４６は、機器情報記憶部１４４に記憶された機器情報が、設定記憶部１３４で設定された監視項目について、所定の状態に変化があったか否かを監視する。監視部１４６は、たとえば、プリンタの用紙切れ、トナー切れ、紙詰まりなどの状態に変化があったか否かを監視する。また、監視部１４６は、親機器２０自身の機器情報をＭＩＢ２４から読み出し、所定の状態に変化があったか否かを監視する。
【００３６】
通知部１４８は、監視部１４６で所定の状態に変化があったことが検知されたとき、ネットワーク１を介して管理装置１０に通知する。通知部１４８は、いずれの機器でどの状態が検知されたか、および障害検知時間を通知することができる。通知部１４８は、ＳＮＭＰのトラップを用いてネットワーク１を介して管理装置１０に通知することができる。さらに、他の実施形態において、親機器２０は、予め決められた宛先にメール、あるいはファクシミリ通信によって所定の状態の変化の検知を通知することもできる。これらの場合、管理装置１０は、図示されないメール受信部やファクシミリ受信部を備える。
【００３７】
受付部１６０は、管理装置１０からの情報収集要求をネットワーク１を介して受信する。受付部１６０は、取得部１４２に複数の機器のすべての機器情報を収集させ、機器情報記憶部１４４に記憶させる。送信部１６２は、受付部１６０が情報収集要求を受け付けた後、取得部１４２が収集し、機器情報記憶部１４４に記憶した機器情報を機器情報記憶部１４４から読み出し、管理装置１０にネットワーク１を介して送信する。
【００３８】
子機器３０において、受付部１８０は、ネットワーク１を介して親機器２０からの情報収集要求を受け付け、抽出部１８２に指示する。抽出部１８２は、受付部１８０が受け付けた情報収集要求に応じて、必要な情報をＭＩＢ３４から抽出して読み出す。抽出部１８２が読み出した機器情報を送信部１８４に送信する。
【００３９】
このように構成された本実施形態のネットワーク管理システムの動作について、以下に説明する。図３は、本実施形態のネットワーク管理システムの動作の一例を示すフローチャートである。以下、図２乃至５を用いて説明する。
【００４０】
はじめに、図２の管理装置１０において、設定画面表示部１０２に監視項目設定画面２００（図４）が表示される（Ｓ１）。そして、ユーザが監視項目設定画面２００（図４）を操作して、監視項目を設定すると、設定受付部１０４が受け付け、設定部１０６に通知する（Ｓ３）。設定部１０６は、ネットワーク１を介して親機器２０に監視項目を通知する（Ｓ５）。
【００４１】
親機器２０では、設定受信部１３０が管理装置１０から監視項目を受け付け、設定部１３２が設定記憶部１３４の設定内容を更新する（Ｓ２１）。そして、計時部１４０からの情報収集タイミングに応じて、定期的に設定された監視項目に対応する機器の情報を通知部１４８が子機器３０にネットワーク１を介して要求する（Ｓ２３）。子機器３０では、受付部１８０が要求を受け付け、抽出部１８２が要求された情報をＭＩＢ３４から抽出する（Ｓ４１）。そして、送信部１８４がネットワーク１を介して親機器２０に機器情報を送信する（Ｓ４３）。
【００４２】
親機器２０では、取得部１４２が子機器３０からネットワーク１を介して機器情報を受信し、機器情報記憶部１４４に格納する（Ｓ２５）。監視部１４６は、機器情報記憶部１４４に格納された機器情報について、設定記憶部１３４に記憶された監視項目について、所定の状態に変化が生じたか否かを監視し、状態に変化が生じた場合（Ｓ２７のＹＥＳ）、通知部１４８がネットワーク１を介して管理装置１０に通知する（Ｓ２９）。管理装置１０では、親機器２０からの通知を受信部１１０が受信する（Ｓ７）。通知を受信したとき受信した機器情報は機器情報記憶部１１２に記憶される。そして、機器情報表示部１１４に機器情報通知画面２３０（図５）を表示し、障害が発生した機器をユーザに報知する（Ｓ９）。
【００４３】
以上説明したように、本発明の実施の形態のネットワーク管理システムによれば、複数の機器（親機器２０および子機器３０）から情報を取得し、機器の所定の状態の変化を検知した場合にのみ管理装置１０に通知する監視装置（親機器２０）を複数の機器（子機器３０）と管理装置１０の間に設けたので、複数の機器（親機器２０）と管理装置１０間の通信量を削減でき、ネットワーク１の負荷を低減することができ、ネットワーク管理の信頼性が向上する。
【００４４】
また、必要な機器情報の設定を行うことができ、必要な情報のみを複数の機器（親機器２０）から取得し、機器の所定の状態の変化を検知することができるので、複数の機器（親機器２０および子機器３０）と管理装置１０間の不必要な機器情報についてのパケット交換を行わないで済むので、ネットワーク１の負荷を低減することができる。また、管理情報に不必要なものが含まれないので、情報が明確になり、ネットワーク管理の信頼性が向上する。
【００４５】
以上、図面を参照して本発明の実施形態について述べたが、これらは本発明の例示であり、上記以外の様々な構成を採用することもできる。
【００４６】
たとえば、上記実施形態において、親機器２０の機器情報の所定の状態の変化を親機器２０自身で検知する構成としたが、これに限定されない。他の実施形態において、管理装置１０が定期的に親機器２０に対してポーリングして親機器２０から特定の機器情報を取得し、所定の状態の変化を検知する検知部を備えることもできる。
【図面の簡単な説明】
【００４７】
【図１】本発明の実施の形態に係るネットワーク管理システムのネットワーク構成の一例を示す構成図である。
【図２】図１のネットワーク管理システムの各装置の構成を示す概略ブロック図である。
【図３】本実施形態のネットワーク管理システムの動作の一例を示すフローチャートである。
【図４】本実施形態の管理装置における機器毎に監視項目を設定するための監視項目設定画面の一例を示す図である。
【図５】本実施形態の管理装置におけるネットワーク上の複数の子機器および親機器の機器情報通知画面の一例を示す図である。
【符号の説明】
【００４８】
１  ネットワーク
１０  管理装置
１２  ＳＮＭＰマネージャ
２０  親機器
２２  ＳＮＭＰエージェント
２４  ＭＩＢ
２６  ＳＮＭＰマネージャ
３０  子機器
３２  ＳＮＭＰエージェント
３４  ＭＩＢ
１０２  設定画面表示部
１０４  設定受付部
１０６  設定部
１１０  受信部
１１２  機器情報記憶部
１１４  機器情報表示部
１２０  要求部
１３０  設定受信部
１３２  設定部
１３４  設定記憶部
１４０  計時部
１４２  取得部
１４４  機器情報記憶部
１４６  監視部
１４８  通知部
１６０  受付部
１６２  送信部
１８０  受付部
１８２  抽出部
１８４  送信部
２００  監視項目設定画面
２０２  設定欄
２０４  機器名
２０６  監視項目
２０８  チェックボックス
２１０  設定ボタン
２１２  キャンセルボタン
２３０  機器情報通知画面
２３２  機器名
２３４  障害情報
２３６  障害発生日時
【図１】
2008148106.tif 000003
【図２】
2008148106.tif 000004
【図３】
2008148106.tif 000005
【図４】
2008148106.tif 000006
【図５】
2008148106.tif 000007